(57)【特許請求の範囲】
【請求項１】
ＲＦフィルタ回路（ＦＣ）であって、
１つの入力端子（ＩＴ）を有する１つの入力ポート（ＩＰ）と、
１つの出力端子（ＯＴ）を有する１つの出力ポート（ＯＰ）と、
前記入力ポート（ＩＰ）と前記出力ポート（ＯＰ）との間に、１つの第１の直列共振器（Ｓ１）を有する１つの信号経路（ＳＰ）と、
１つのグラウンド端子（ＧＮＤ）と、
前記信号経路（ＳＰ）の一部であり、直接前記入力端子（ＩＴ）に接続されている、１つの第１のカップリング導体セグメント（ＣＣＳ１）と、
直接前記出力端子（ＯＴ）または前記グラウンド端子（ＧＮＤ）に接続されている、１つの第２のカップリング導体セグメント（ＣＣＳ２）と、
を備え、
前記第１のカップリング導体セグメント（ＣＣＳ１）および前記第２のカップリング導体セグメント（ＣＣＳ２）は、互いに隣り合って配設されており、そして電磁気的にカップリングされ、当該カップリングが前記ＲＦフィルタ回路の阻止帯域における減衰量を増大するようになっており、
前記第１のカップリング導体セグメント（ＣＣＳ１）および前記第２のカップリング導体セグメント（ＣＣＳ２）は平行に配設されており、
前記第１のカップリング導体セグメント（ＣＣＳ１）および前記第２のカップリング導体セグメント（ＣＣＳ２）は、ＲＦ信号を互いに逆方向に伝送するように構成されている、
ことを特徴とするＲＦフィルタ回路。
【請求項２】
前記第１のカップリング導体セグメント（ＣＣＳ１）および前記第２のカップリング導体セグメント（ＣＣＳ２）は、互いに逆方向で位相がずれた電流を伝送するように構成されていることを特徴とする、請求項１に記載のＲＦフィルタ回路。
【請求項３】
前記第２のカップリング導体セグメント（ＣＣＳ２）は、直接前記出力端子（ＯＴ）に接続されていることを特徴とする、請求項１または２に記載のＲＦフィルタ回路。
【請求項４】
前記第２のカップリング導体セグメント（ＣＣＳ２）は、直接前記グラウンド端子（ＧＮＤ）に接続されていることを特徴とする、請求項１または２に記載のＲＦフィルタ回路。
【請求項５】
１つのラダー型構造を有する、請求項１乃至４のいずれか１項に記載のＲＦフィルタ回路であって、
前記ＲＦフィルタ回路は、
前記信号経路（ＳＰ）に電気的に接続され、前記第１の直列共振器（Ｓ１）に対して直列に接続されている、１つの第２の直列共振器（Ｓ２）と、
前記信号経路（ＳＰ）をグラウンド（ＧＮＤ）に電気的に接続し、かつ１つの第１の並列共振器（Ｐ１）を備える、１つの第１の並列分岐と、
前記信号経路（ＳＰ）をグラウンド（ＧＮＤ）に電気的に接続し、かつ１つの第２の並列共振器（Ｐ２）を備える、１つの第２の並列分岐と、
を備えることを特徴とするＲＦフィルタ回路。
【請求項６】
前記減衰量は、前記第１のカップリング導体セグメント（ＣＣＳ１）および前記第２のカップリング導体セグメント（ＣＣＳ２）における望ましくないＲＦ信号を相殺することによって増大されていることを特徴とする、請求項１乃至５のいずれか１項に記載のＲＦフィルタ回路。
【請求項７】
前記第１の直列共振器（Ｓ１）は、音響波で動作するように特化されていることを特徴とする、請求項１乃至６のいずれか１項に記載のＲＦフィルタ回路。
【請求項８】
前記第１の直列共振器（Ｓ１）は、１つのチップ（ＣＨ）上に配設されている共振器の複数の構成要素を備えることを特徴とする、請求項１乃至７のいずれか１項に記載のＲＦフィルタ回路。
【請求項９】
前記チップ（ＣＨ）は、１つの担体基板（ＣＳ）上に配設されていることを特徴とする、請求項８に記載のＲＦフィルタ回路。
【請求項１０】
前記第１のカップリング導体セグメント（ＣＣＳ１）および前記第２のカップリング導体セグメント（ＣＣＳ２）が、前記チップ（ＣＨ）上、または前記担体基板（ＣＳ）上に配設されていることを特徴とする、請求項９に記載のＲＦフィルタ回路。
【請求項１１】
前記電磁気カップリングは、その主成分として磁界カップリングを含むことを特徴とする、請求項１乃至１０のいずれか１項に記載のＲＦフィルタ回路。
【請求項１２】
請求項１乃至１１のいずれか１項に記載のＲＦフィルタ回路（ＦＣ）がチップの表面内すなわち表面上に配設されているＲＦフィルタ（Ｆ）。
【請求項１３】
請求項１乃至１２のいずれか１項に記載のＲＦフィルタ回路（ＦＣ）を備えるデュプレクサ（ＤＰＸ）であって、
前記ＲＦフィルタの阻止帯域は受信帯域（ＲＸ）であり、当該受信帯域におけるＲＦ信号の増大された減衰量は、当該デュプレクサの分離度を増大することを特徴とする、デュプレクサ。
【請求項１４】
請求項１３に記載のデュプレクサにおいて、
前記デュプレクサは、１つの送信フィルタ（ＴＸ），１つのインピーダンスマッチング回路（ＭＣ），および１つの受信フィルタ（ＲＸ）を有し、
前記第１の直列共振器（Ｓ１）は、前記送信フィルタの（ＴＸ）の１つの素子であり、
前記インピーダンスマッチング回路（ＭＣ）は、前記送信フィルタ（ＴＸ）と前記受信フィルタ（ＲＸ）との間に接続されている、
ことを特徴とするデュプレクサ。
【請求項１５】
前記受信フィルタが１つのＤＭＳパターンを備えることを特徴とする、請求項１４に記載のデュプレクサ。
【発明の詳細な説明】
【技術分野】
【０００１】
本発明は、たとえばモバイル通信機器用のＲＦフィルタ回路、このような回路を有するＲＦフィルタ、およびこのようなフィルタ回路を有しかつ高い分離度を有するデュプレクサに関する。
【背景技術】
【０００２】
ＲＦフィルタ回路は、無線通信機器、たとえば携帯電話に用いることができ、複数の周波数バンドにおいて伝播する複数の信号から所望の信号を選択するために用いることができる。
【０００３】
ＲＦフィルタ回路の１つの重要な特徴は、そのもたらし得る減衰量であり、すなわちその挿入損失は、通過帯域において小さくなければならず、そして阻止帯域において大きくなければならない。特にこのフィルタ回路がバンドパスフィルタに用いられる場合、重要な特徴は、帯域幅およびこの通過帯域の側縁部のスロープである。２つのバンドパスフィルタが組み合わされると、１つのデュプレクサが得られる。デュプレクサの重要なパラメータは、そのこれらの分離度である。この分離度は、概ね送信（ＴＸ）ポートに入力されたパワーを受信（ＲＸ）ポートから逃げるパワーで割った比である。阻止帯域、すなわち多くの場合ＲＸ周波数帯域における良好な減衰量（すなわち大きな挿入損失）は、良好な分離度を得るために必要である。
【０００４】
原理的に、音響波で動作するフィルタ回路は良好な減衰量をもたらす。このようなフィルタ回路を有するフィルタは、ＳＡＷフィルタ（ＳＡＷ＝surface acoustic wave），ＢＡＷフィルタ（ＢＡＷ＝bulk acoustic wave），またはＧＢＡＷフィルタ（ＧＢＡＷ＝guided bulk acoustic wave）であってよい。１つの電子音響フィルタが特許文献１に開示されている。
【０００５】
しかしながら、一方での小型化に向けて進行するトレンド、および他方でのさらに多大の機能性は、このような電子音響フィルタの本質的に良好なフィルタ特性を脅かすものである。
【先行技術文献】
【特許文献】
【０００６】
【特許文献１】米国特許第６４４１７０４号明細書
【発明の概要】
【発明が解決しようとする課題】
【０００７】
この結果、小さな横方向サイズにおいても良好なフィルタ特性を有するフィルタに対する要求が出てきている。さらに、このようなフィルタを備えるデュプレクサも必要となっている。
【課題を解決するための手段】
【０００８】
本願の独立請求項に記載のフィルタ回路，フィルタ，およびデュプレクサは、これらの要求されている回路および部品を提供するものである。従属請求項は、本発明の好ましい実施形態を提供する。
【０００９】
１つのＲＦフィルタ回路は、１つの入力端子を有する１つの入力ポートと、１つの出力端子を有する１つの出力ポートとを備える。さらにこのフィルタ回路は、上記の入力ポートと上記の出力ポートとの間に１つの信号経路を備える。この信号経路は、１つの第１の直列共振器を有する。さらにこのフィルタ回路は、１つのグラウンド端子、１つの第１のカップリング導体セグメント，および１つの第２のカップリング導体セグメントを備える。この第１のカップリング導体セグメントは、上記の信号経路の一部であり、直接上記の入力端子に接続されている。第２のカップリング導体セグメントは、直接上記の出力端子または上記のグラウンド端子に接続されている。このＲＦフィルタ回路は、大きな減衰量を有する阻止周波数帯域を有する。さらに、上記の第１のカップリング導体セグメントおよび上記の第２のカップリング導体セグメントは、互いに隣り合って配設されており、そして電磁気的にカップリングされ、このカップリングがこのＲＦフィルタ回路の阻止帯域における減衰量を増大するようになっている。
【００１０】
上記の入力端子とは別に、上記の入力ポートは１つの第２の入力端子あるいはさらなる入力端子（複数）を有してよい。この結果、この入力ポートはアンバランス信号（１つの入力端子）またはバランス信号（２つの入力端子）で動作することが可能となる。また、上記の出力ポートは、１つの第２の出力端子またはこれより多い複数の出力端子を有してよい。こうして上記のフィルタ回路の出力ポートは、アンバランス信号（１つの出力端子）またはバランス信号（２つの出力端子）で動作することが可能となる。
【００１１】
上記の信号経路は、上記の入力ポートと上記の出力ポートとの間に、ＲＦ信号が伝播することができる導体セグメント（複数）を備える。この信号経路は、アンバランス信号で動作するか、またはバランス信号で動作するようになっていてよい。上記の第１の直列共振器は、この信号経路内に電気的に直列に接続されている。この信号経路において伝播するＲＦ信号は、この第１の直列共振器を通過しなければならない。
【００１２】
上記のグラウンド端子は、グラウンド電位への接続を提供する。このグラウンド電位への接続は、グラウンド電位への直接の接続であってよく、あるいは１つのキャパシタンス素子または１つのインダクタンス素子のような１つのインピーダンス素子を介したものであってよい。
【００１３】
上記の第１のカップリング導体セグメントは、上記の信号経路の一部であり、そしてこの第１のカップリング導体セグメントは直接上記の入力端子に接続されているので、この入力端子に供給されるＲＦ信号は、この第１のカップリング導体セグメントを通って伝播する。上記の第１および第２のカップリング導体セグメントは近接しているので、電磁気カップリングが可能であり、またこれが望まれている。理想的なフィルタ回路と比較して、実際のフィルタ回路は、阻止帯域において有限な減衰量を有している。これは、導体セグメントの有限な導電性のために、実際のフィルタにおけるフィルタ回路のグラウンド電位が厳密にはこのグラウンド電位に固定されていないという事実に関係している。ＲＦ信号は、このグラウンド電位を汚染し得る。この結果、望ましくない信号の周波数成分がこのグラウンド電位および／またはこのフィルタの出力に現れる。上記の第１のカップリング導体セグメントと上記の第２のカップリング導体セグメントとを電磁気的にカップリングすることにより、このフィルタ回路の減衰特性を改善することができる。以上により、このようなＲＦ回路のデュプレクサは、改善された分離度を有し得る送信フィルタまたは受信フィルタを構築する。
【００１４】
しかしながら、このような第１のカップリング導体セグメントを第２のカップリング導体セグメントの近傍に設けることは、さらなる導体セグメントをフィルタに加えることであり、この結果、上記の小型化に向けて進行するトレンドを脅かすものであり、そしてこれらの導体セグメント間のさらなるクロストークの可能性を増大するものである。この結果、それぞれのカップリング導体セグメントおよびフィルタにおけるこれらの接続形態は、もしそれぞれの電磁気カップリングの全能力が利用されなければならないならば、極めて慎重に選択される必要があり、そしてこのフィルタのそれぞれの他の部品は、この設けられているカップリング導体セグメントに対して合わせ込まれていなければならない。
【００１５】
上記の第２のカップリング導体セグメントは、直接上記の出力端子に接続されていてよい。
【００１６】
しかしながら、この第２のカップリング導体セグメントは、直接上記のグラウンド端子に接続されていてもよい。
【００１７】
この結果、入力信号と上記の出力端子において伝播している信号との間の電磁気カップリングを得ることができ、そして入力信号と非理想的なグラウンド電位との間のようなカップリングもまた得ることができる。
【００１８】
上記のＲＦフィルタは、１つのラダー型構造を有し、そして１つの第２の直列共振器を備えてよい。この第２の直列共振器は、上記の信号経路に電気的に接続されており、そして上記の第１の直列共振器に対して直列に接続されている。そしてさらにこのＲＦフィルタ回路は、１つの第１の並列分岐および１つの第２の並列分岐を備える。この第１の並列分岐は、上記の信号経路をグラウンドに電気的に接続しており、そして１つの第１の並列共振器を備える。この第２の並列分岐は、上記の信号経路をグラウンドに電気的に接続しており、そして１つの第２の並列共振器を備える。この第１の並列共振器およびこの第２の並列共振器は、この結果上記の信号経路とグラウンドとの間に電気的に並列に接続されており、かつシャント接続を構築している。
【００１９】
各々の直列共振器および並列共振器は、１つの共振周波数および１つの反共振周波数を有し得る。それぞれの周波数は、これに応じて選択され、こうして上記のＲＦフィルタ回路は、１つのバンドパスフィルタまたは１つのバンドストップフィルタを構築することができる。いずれの場合でも、このＲＦフィルタ回路は、改善された減衰量を有する阻止周波数帯域を有する。
【００２０】
この減衰量は、望ましくないＲＦ信号を相殺することによって増大することができる。相殺は上記の第１および第２のカップリング導体セグメントにおいてその電磁気カップリングによって得られる。
【００２１】
上記の第１の直列共振器は、音響波で動作するように特化されていてよい。これより、この第１の直列共振器は、１つの電子音響共振器であり、１つのＳＡＷ共振器，１つのＢＡＷ共振器，または１つのＧＢＡＷ共振器であってよい。もし上記のＲＦフィルタ回路が、１つの第２の直列共振器および１つの第１および／または１つの第２の並列共振器のような、さらなる共振器を備えるならば、これらの追加的な共振器もまた電子音響共振器であってよい。これらの追加的な共振器は、上記の第１の直列共振器と同じタイプであってよい。
【００２２】
上記の第１の直列共振器は、１つのチップ上に配設されている共振器の構成要素（複数）を備えてよい。もしこの第１の直列共振器が１つのＳＡＷ共振器であるならば、これらの共振器の構成要素は、バスバー（複数）および電極フィンガ（複数），１つの熱補償層（ＴＣＦ層＝thermal coefficients of frequency），または１つの周波数調整層であってよい。この周波数調整層の厚さを選択することによって、この共振器の周波数をチューニングすることができる。
【００２３】
もし上記のＲＦフィルタ回路がさらなる共振器を備えるならば、これらのさらなる共振器の構成要素も同じチップ上に配設されてよく、あるいはこれらは別のチップ上に配設されてよい。
【００２４】
もし上記の第１の直列共振器が１つのＢＡＷ共振器であるならば、その共振器の構成要素は、１つの下側電極領域，１つの上側電極領域，およびこれらの２つの電極領域間の１つの圧電材料から成っている。
【００２５】
もし上記の第１の直列共振器が１つのＧＢＡＷ共振器であるならば、その共振器の構成要素は、バスバー（複数），電極フィンガ（複数），およびこれらのバスバーおよび電極フィンガを埋設する１つの誘電体材料から成っている。
【００２６】
ＳＡＷ共振器またはＧＢＡＷ共振器の場合には、そのチップはタンタル酸リチウム（ＬｉＴａＯ３），ニオブ酸リチウム（ＬｉＮｂＯ３），または石英等の圧電材料を含んでよい。もし上記の第１の直列共振器が１つのＢＡＷ共振器であるならば、そのチップは１つの半導体チップであってよい。
【００２７】
上記のチップは、１つの担体基板上に配設されていてよい。
【００２８】
この担体基板は、１つの誘電体材料、たとえば１つのＰＣＢ（printed circuit board）材料の１つの単層から成っていてよい。この担体基板は、その上面上または底面上に、上記フィルタ回路を１つの外部の周辺回路に接続するための導体セグメント（複数）を備える。
【００２９】
しかしながら、上記の担体基板が、２つ以上の複数の誘電体層およびこれらの間のメタライジング層を有する１つの多層基板であることも可能である。これらのメタライジング層内には、信号ライン（複数），キャパシタンス素子またはインダクタンス素子のようなインピーダンス素子（複数）等の導体セグメントがパターニングされ、そして上記の第１直列共振器に電気的に接続されていてよい。こうして上記のＲＦフィルタ回路の回路要素は、この多層基板内に埋設されていてよい。
【００３０】
上記の第１のカップリング導体セグメントおよび上記の第２のカップリング導体セグメントが、上記のチップ上、または上記の担体基板上に配設されていることも可能である。
【００３１】
所望のカップリングの程度に依存し、および上記のカップリング領域と他の回路部品との間の距離に依存して、上記のカップリング導体セグメントを上記のチップ上または上記の担体基板上に配設するには２つの方法がある。
【００３２】
従来の公知の技術は、上記のチップおよび上記の担体基板を組み合わせることに対しては可能である。こうして上記のチップおよび上記の担体基板が、ＤＳＳＰ（登録商標）技術を用いて、１つのフィルタ部品に込み込まれることが可能ある。ここでＤＳＳＰ（die sized SAW packaging）は、小型高密度の電子フィルタ部品の商標名である。
【００３３】
上記の第１のカップリング導体セグメントおよび上記の第２のカップリング導体セグメントは平行に並んでいることが可能である。これらの２つの導体セグメントは、１つのチップにおける１つの層系内の同じ層に、または１つの多層基板における１つの層系内に、互いに隣り合って配設されていてよい。しかしながら、これら２つの導体セグメントが１つの多層基板の異なる層にあって上下に重なって配設されていることも可能である。これら２つの平行な導体セグメントの長さおよびこれらの間の距離を選択することによって、そしてこれらの導体セグメントの間の材料およびこの材料の誘電体特性を選択することによって、これら２つの導体セグメントの間のカップリングの程度を、このフィルタが満足すべき仕様にしたがって調整することができる。
【００３４】
上記の第１のカップリング導体セグメントおよび上記の第２のカップリング導体セグメントは、ＲＦ信号を同方向または互いに逆方向に伝送するように特化されていてよい。
【００３５】
互いの相対的な伝播の方向を選択することによって、設計者はカップリングの程度を調整するためのさらなる自由度を得る。
【００３６】
上記の第１のカップリング導体セグメントおよび上記の第２のカップリン導体セグメントが、カップリングされた差動信号ラインの１つのセグメントを構築することが可能である。
【００３７】
たとえば、上記の２つの異なる導体セグメントを反対向きに設置することによって、反対向きに流れる電流が、互いに弱め合うかあるいはキャンセルし得る、逆極性の磁場および／または電場を生成し得る。こうして１つの差動ラインの動作を得ることができる。このような差動ラインを、ＴＸグラウンド経路またはこのフィルタの出力ポートにおいて伝播するＴＸ信号および電磁信号用に利用することにより、打消し効果が生成され、これはこのフィルタ回路の減衰量およびこれを用いたフィルタの電気特性を改善する。これを用いたデュプレクサは、改善された分離度を有する。
【００３８】
上記の第１のカップリング導体セグメントおよび上記の第２のカップリング導体セグメントは、互いに逆方向で位相がずれた電流を伝送するために特化されていることが可能である。これらの導体セグメントの部位で伝播するＲＦ信号の位相を選択することによって、設計者は、カップリングの程度の調整におけるさらなる自由度を得る。
【００３９】
上記の電磁気カップリングは、その主成分として磁界カップリングを含み得る。
【００４０】
一般的に電磁気カップリングは、電界成分および磁界成分を有する。上記の導体セグメントの詳細形状およびこれらの導体セグメントの間の距離およびこれらの間の材料の電磁気的特性を選択することによって、カップリングの強調を磁界的な面に置くかまたは電界的な面に置くことができる。こうして、カップリングの程度の調整における自由度のさらに高い度合を得ることができる。
【００４１】
このようなＲＦフィルタ回路をこれに適合したＲＦフィルタに用いることができる。この結果１つのＲＦフィルタはこのようなＲＦフィルタ回路を備えてよい。
【００４２】
さらに、１つのデュプレクサがこのような改善された減衰量を有するＲＦフィルタを備えることが可能である。こうしてこのＲＦフィルタの阻止帯域を受信帯域（ＲＸ）とすることが可能である。この受信帯域におけるＲＦ信号の増大された減衰量は、このデュプレクサの分離度を増大する。
【００４３】
上記のデュプレクサが、１つの送信フィルタ，１つの受信フィルタ，および１つのインピーダンスマッチング回路を有することが可能である。上記のフィルタ回路の第１の直列共振器は、この送信フィルタの１つの素子である。このインピーダンスマッチング回路は、この送信フィルタとこの受信フィルタとの間に接続されている。このようなデュプレクサが、この受信フィルタにおいて１つのＤＭＳパターン（ＤＭＳ＝double mode SAW）を有することが可能である。
【００４４】
特にもしこのようなフィルタが１つのデュプレクサに使用されるならば、ＴＸ入力信号およびグラウンド電流はアンテナで加算され（干渉し）、そしてこの受信フィルタの出力ポートで互いに相殺する。この結果デュプレクサの分離度が改善される。
【００４５】
上記の導体セグメント（複数）の詳細形状に依存して、減衰量が改善されるように、互いに相殺する逆極性の磁界が得られ、この結果改善された分離度が得られる。
【００４６】
直列共振器および並列共振器は、バスバー（複数）および電極フィンガ（複数）有する櫛歯電極（複数）を備えてよく、これらの櫛歯電極は、音響反射器（複数）の間の音響トラックに配設されている。しかしながら各々の共振器は、それぞれの音響トラックに２つ以上の電子音響トランスデューサを有する１つのマルチポート共振器（ＭＰＲ）として実現されていてよい。
【００４７】
さらに上記のフィルタ回路，上記のフィルタ，上記のデュプレクサ，そしてその基本的動作原理および好ましい実施形態が、これらに付随する概略図で詳細に説明されるが、これらは本発明の範囲を限定するものではない。
【図面の簡単な説明】
【００４８】
【図１】１つのラダー型構造を有する１つのフィルタ回路ＦＣを示し、ここで１つの入力ポートは、グラウンドポートに電磁気的にカップリングされている。
【図２】１つのデュプレクサを示し、ここで送信フィルタの入力ポートは、受信フィルタのバランス出力ポートの１つの出力端子に電磁気的にカップリングされている。
【図３】１つのフィルタ接続形態の１つの可能なレイアウトおよび第２のカップリング導体セグメントに対する第１のカップリング導体セグメントの１つの可能な配置を示す。
【図４】１つのチップが担体基板の上に配置された１つの可能な構成を示す。このチップおよびこの基板は、１つのＲＦフィルタＦを構築する。
【図５】もう１つの可能なレイアウトおよび第１のカップリング導体セグメントのもう１つの可能な配置を示す。
【図６】１つのフィルタ部品の多層構造内における第１および第２のカップリング導体セグメントの物理的な実装を斜視図で示す。
【図７】１つのフィルタ部品の物理的実装のもう１つの可能な実施形態を斜視図で示す。
【図８】シミュレーションされたマトリックス要素Ｓ１２，Ｓ１３を示し、電磁気カップリングの異なる実施形態の影響を示している。
【図９】シミュレーションされたマトリックス要素Ｓ１３を示し、電磁気カップリングの異なる実施形態の影響を示している。
【図１０】１つのデュプレクサのシミュレーションされたマトリックス要素Ｓ１２，Ｓ２３を示し、電磁気カップリングの異なる実施形態の影響を示している。
【図１１】シミュレーションされた周波数依存のマトリックス要素Ｓ１３を示し、電磁気カップリングの異なる実施形態の影響を示している。
【００４９】
図１は、１つの基本例のフィルタ回路ＦＣの等価回路図を示し、このフィルタ回路においては、１つの入力ポートと１つのグラウンド電位との間に電磁気カップリングが得られている。このフィルタ回路ＦＣは、１つの信号経路を備え、この信号経路には、１つの第１の直列共振器Ｓ１，１つの第２の直列共振器Ｓ２，１つの第３の直列共振器Ｓ３が電磁気的に直列に接続されている。１つの第１の並列共振器Ｐ１は、１つの第１の並列分岐に接続されており、上記の信号経路をグラウンドＧＮＤにシャント接続している。１つの第２の並列共振器Ｐ２は、１つの第２の並列分岐に接続されており、上記の信号経路ＳＰをグラウンドＧＮＤにシャント接続している。１つの第３の並列共振器Ｐ３は、１つの第３の並列分岐に接続されており、上記の信号経路ＳＰをグラウンドＧＮＤにシャント接続している。
【００５０】
上記の第３の並列共振器Ｐ３が、２つの並列共振器から成ることが可能であり、この内１つの並列共振器は、従来の共振器であり、もう１つはＭＰＲ共振器である。
【００５１】
入力ポートＩＰは、少なくとも１つの入力端子ＩＴを備える。この入力端子ＩＴから、複数の導体セグメントが、電磁気カップリングの領域まで続いている。この電磁気カップリングは、上記の入力ポートの上記の第１のカップリング導体セグメントＣＳＳ１と、この例ではグラウンドＧＮＤへの導体セグメントとなっている、第２のカップリング導体セグメントＣＣＳ２との間に生じる。
【００５２】
図１に示す等価回路図においては、出力ポートＯＰは、１つの単一の出力端子ＯＴから成っている。しかしながら、上記の入力ポートＩＰでのバランスＲＦ入力信号または上記の出力ポートＯＰでのバランス出力信号で動作する、１つのフィルタ回路ＳＣも可能である。
【００５３】
図２は、１つのデュプレクサＤＰＸにおける改善された減衰量のための、カップリング導体セグメントの１つの可能な実装形態を示す。このデュプレクサＤＰＸは、１つの送信フィルタＴＸおよび１つの受信フィルタＲＸを備える。この送信フィルタＴＸは、上述のフィルタ回路ＦＣを有するＲＦフィルタであってよい。この送信フィルタＴＸは、３つの直列共振器Ｓ１，Ｓ２，Ｓ３，および３つの並列共振器を備える。この受信フィルタＲＸは、１つの第１の直列共振器Ｓ１と、１つの第２の直列共振器Ｓ２と、１つの第１の並列分岐における１つの第１の並列共振器Ｐ１と，１つの第２の分岐における１つの第２の並列共振器Ｐ２と、を備える。この受信フィルタＲＸは、さらに１つのＤＭＳフィルタパターンＤＭＳを備える。このＤＭＳフィルタパターンＤＭＳは、１つのバランス信号出力を有し、そしてバランス信号に適合した１つの出力ポートＯＰを提供する。こうしてこの出力ポートＯＰは、２つの出力端子を備える。この出力ポートＯＰの１つの出力端子ＯＴは、上記の入力ポートＩＰの入力端子ＩＴに電磁気的にカップリングされている。このため、上記の入力ポートＩＰに電磁気的に接続された第１のカップリング導体セグメントＣＣＳ１が、上記の第２のカップリング導体セグメントとなっている、上記の出力端子ＯＴの導体セグメントの近傍に配設されている。
【００５４】
上記の送信フィルタＴＸと上記の受信フィルタＲＸとの間には、１つのインピーダンスマッチング回路ＭＣが配設されている。さらに、この送信フィルタＴＸとこのインピーダンスマッチング回路ＭＣとの間には、１つのアンテナポートが配設されており、このアンテナポートは、１つのアンテナに接続されてよい。
【００５５】
このようなデュプレクサは、複数の共振器，複数の導体セグメント，および１つのインピーダンスマッチング回路における複数の回路素子を備え、さらに上記の第１および第２のカップリング導体セグメントを介した電磁気カップリングのための複数の導体セグメントを提供し、この電磁気カップリングの設計は、簡単なものでなく注意深く行われる必要があり、またこのデュプレクサの他のそれぞれの構成要素の電磁気的および音響的特性に合わせ込まれる必要がある。
【００５６】
図３は、１つのデュプレクサＤＰＸの１つの可能なレイアウトを示す。直列共振器Ｓ１，Ｓ２，Ｓ３は、上記の入力ポートＩＰからアンテナポートＡＰに接続されたアンテナＡＮＴまでの送信信号の主要な伝播経路を画定する。受信フィルタは、１つの直列共振器、および２つの平行に並んだ音響トラックにおける２つのＤＭＳパターンを備える。上記の第１，第２，および第３の直列共振器とは別に、上記の送信フィルタは、さらに５個までの並列共振器Ｐ１〜Ｐ５を備え、これらの内、たとえばＰ４およびＰ５は、１つのＭＰＲ共振器の異なる音響トラックを構築している。
【００５７】
上記のデュプレクサＤＰＸは、図３に太線で示す導体セグメント（複数）を備え、これらは上記の電磁気カップリングのために必要な導体セグメントを構成している。具体的には、１つの並列共振器すなわち１つの第３の並列共振器Ｐ３と、グラウンドとの間の、上記の導体セグメント（複数）は、上記の電磁気カップリングのために用いられる導体パターンを構成している。この結果、この共振器とグラウンドとの間の接続ラインは、１つのインダクタンス素子となる１つのコイル状パターンに配設することができる。上記の電磁気カップリングは、２つの平行に並んだ矢印で示されている。上記の導体セグメント（複数）で実現されているこのインダクタンス素子は、０．１〜０．５ｎＨの範囲のインダクタンス、たとえば０．３ｎＨのインダクタンスを有してよい。上記の第２のカップリング導体セグメントＣＣＳ２および上記の第１のカップリング導体セグメントにおいて伝播する信号の位相に依存して、上記の電磁気カップリングの場所での平行あるいは反平行の電流を調整することができる。これらの導体セグメントの１つまたは２つでの信号の位相は、これらのカップリング導体セグメントを含むそれぞれの導体セグメントの長さを調整することによって調整することができる。
【００５８】
図３および図５に示すレイアウトの接続形態は、１つのチップ上の異なるレイヤに配設されている導体セグメント（複数）を備えている。特にもし導体セグメント（複数）が重なり領域を有するならば、１つの誘電体層がこれらの導体セグメントの間に配設されていてよい。
【００５９】
図４は、１つのＲＦフィルタＦを概略的に示し、ここでこのフィルタの構成要素は、１つのチップＣＨの表面内すなわち表面上に配設されている。このチップは、１つの担体基板ＣＳ上に配設されている。このチップＣＨおよびこの担体基板ＣＳは、バンプ接続部（複数）ＢＵを介して電気的および機械的に接続されていてよい。しかしながら、ボンディングワイヤ等の他の電気的接続部も可能である。
【００６０】
上記の第１および第２のカップリング導体セグメントの場所は、上記のチップＣＨ上かまたは上記の担体基板ＣＳ上に位置していてよい。
【００６１】
図５は、１つのデュプレクサＤＰＸの１つの可能なレイアウトを示し、ここで上記の第２のカップリング導体セグメントＣＣＳ２を含む導体セグメント（複数）は、上記の電磁気カップリングの場所においては、反平行の矢印で示されているように、反平行の磁界を生じる反平行の電流が設定されている。
【００６２】
図６は、上記の第１のカップリング導体セグメントＣＣＳ１および上記の第２のカップリング導体セグメントＣＣＳ２を構築する導体セグメント（複数）の、１つのフィルタのレイヤ構造内の１つの可能な実装形態を示す。上記の第１のカップリング導体セグメントＣＣＳ１は、上記の入力ポートＩＰを構成する領域に直接接続されている。この第１のカップリング導体セグメントＣＣＳ１の近傍には、上記の第２のカップリング導体セグメントＣＣＳ２が配設されており、この第２のカップリング導体セグメントは、さらなる導体セグメント（複数）を介してグラウンドに接続されている。
【００６３】
図７は、もう１つの可能な実施形態の斜視図を示し、ここでは上記の第１のカップリング導体セグメントＣＣＳ１は、受信フィルタの出力ポートにカップリングされている。この実施形態においては、出力ポートの上記の第２のカップリング導体セグメントＣＣＳ２を含む導体セグメント（複数）は、ＴＸフィルタの入力ポートＩＰの近傍まで続いている。
【００６４】
図８は、１つのデュプレクサの、周波数依存の行列要素Ｓ１２（送信フィルタの入力ポートとアンテナポートとの間の挿入損失）および行列要素Ｓ２３（アンテナポートと受信フィルタの出力ポートとの間の挿入損失）に対するシミュレーション結果を示す。このデュプレクサのこれらのフィルタは、２つの通過帯域を提供する。７００〜７４０ＭＨｚの周波数を含む通過帯域は、送信帯域、すなわちこの送信フィルタの通過帯域を構成する。７６０〜７９０ＭＨｚの周波数を含む通過帯域は、受信帯域、すなわちこの受信フィルタの通過帯域を構成する。
【００６５】
曲線ＩＬ１は、１つのデュプレクサの行列要素Ｓ１２であり、ここでは上記の入力ポートは、並列共振器をグラウンドに接続している導体パターンに電磁気的にカップリングされており、０．３ｎＨのインダクタンスを有している。曲線ＩＬ２は、上記の２つのカップリング導体セグメントにおいて同じ方向に電流が流れる、１つの実施形態のシミュレーションされた行列要素Ｓ１２である。曲線ＩＬ３は、上記の２つのカップリング導体セグメントにおいて反対方向に電流が流れる、１つの実施形態のシミュレーションされた行列要素Ｓ１２である。
【００６６】
図９は、図８に示す挿入損失に対応する、このデュプレクサの計算された行列要素Ｓ１３（分離度）を示す。曲線ＩＳ１は、このデュプレクサの行列要素Ｓ１３であり、ここでは上記の第２のカップリング導体セグメントの導体セグメント（複数）は、０．３ｎＨのインダクタンス素子を構成している。曲線ＩＳ２は、上記のカップリング導体セグメント（複数）における電流が同じ方向に流れている実施形態の行列要素Ｓ１３であり、曲線ＩＳ３は、上記のカップリング導体セグメント（複数）における電流が反対方向に流れている実施形態の行列要素Ｓ１３である。
【００６７】
図１０は、１つのデュプレクサの送信フィルタおよび受信フィルタに対するシミュレーションされた挿入損失を示す。曲線ＩＬ１は、１つの実施形態の行列要素Ｓ１２であり、ここでは上記の２つのカップリング導体セグメントは、１つの差動信号ラインのセグメント（複数）を構成しており、ここでこれらのカップリング導体セグメントは、１つのＤＳＳＰ（die sized SAW packaging）部品のパッケージ内に配設されている。曲線ＩＬ２は、１つの実施形態の行列要素Ｓ１２であり、ここでは上記のカップリング導体セグメント（複数）は、１つの差動信号ラインの導体セグメント（複数）を構成しており、そしてこれらのカップリング導体セグメントは、上記の多層担体基板の１つの積層構造体内に配設されている。曲線ＩＬ３は、１つの実施形態の行列要素Ｓ１２であり、ここでは上記の２つのカップリング導体セグメントは、１つの差動信号ラインの導体セグメント（複数）を構成しており、ここでこれらのカップリング導体セグメントは、送信フィルタと受信フィルタとの間で、これらのフィルタのフィルタチップ上に配設されている。
【００６８】
図１１は、図１０に示す曲線のそれぞれに対応した、このデュプレクサの行列要素Ｓ１３の対応する曲線を示す。曲線ＩＳ１は、行列要素Ｓ１３であり、ここで上記のカップリング導体セグメント（複数）は、ＤＳＳＰ部品のパッケージ内に配設されている。曲線ＩＳ２は、１つの実施形態の行列要素Ｓ１３であり、ここでこれらのセグメント（複数）は上記の担体基板の積層構造体における１つの差動信号ラインを構成している。曲線ＩＳ３は、行列要素Ｓ１３であり、ここで上記の電磁気カップリングの領域は、上記のＴＸフィルタと上記のＲＸフィルタとの間で、このフィルタチップ上に配設されている。
【００６９】
図８〜１１により、設計者が１つのデュプレクサの電気的特性を外部条件に合わせ込むための複数の可能性を持ち得ることが明瞭となっている。
【００７０】
上記のフィルタ回路も、上記のフィルタも、また上記のデュプレクサも、上述の説明および実施形態あるいは以上の図で示したものに限定されない。さらなるカップリング導体セグメント（複数）またはさらなる回路構成要素（複数）を備えるフィルタ回路，フィルタ，およびデュプレクサも本発明に含まれる。
【符号の説明】
【００７１】
ＡＮＴ      ：  アンテナ
ＡＰ        ：  アンテナポート
ＢＵ        ：  バンプ接続部
ＣＣＳ１    ：  第１のカップリング導体セグメント
ＣＣＳ２    ：  第２のカップリング導体セグメント
ＣＨ        ：  チップ
ＤＭＳ      ：  二重モードＳＡＷ
ＤＰＸ      ：  デュプレクサ
Ｆ          ：  フィルタ
ＦＣ        ：  フィルタ回路
ＧＮＤ      ：  グラウンド
ＩＥ        ：  インダクタンス素子
ＩＬ１，ＩＬ２、ＩＬ３  ：  行列要素Ｓ１２／挿入損失
ＩＰ        ：  入力ポート
ＩＳ１，ＩＳ２，ＩＳ３  ：  行列要素Ｓ１３／分離度
ＩＴ        ：  入力端子
ＯＰ        ：  出力ポート
ＯＴ        ：  出力端子
Ｐ１，Ｐ２，Ｐ３  ：  並列共振器
Ｐ４，Ｐ５  ：  並列共振器
ＲＸ        ：  受信フィルタ
Ｒｘｏｕｔ  ：  受信フィルタの出力ポート
Ｓ１，Ｓ２，Ｓ３  ：  直列共振器
ＳＰ        ：  信号経路
ＴＸ        ：  送信フィルタ
ＴＸｉｎ    ：  ＴＸフィルタの入力ポート
【図１】
0006564448.tif 000002
【図２】
0006564448.tif 000003
【図３】
0006564448.tif 000004
【図４】
0006564448.tif 000005
【図５】
0006564448.tif 000006
【図６】
0006564448.tif 000007
【図７】
0006564448.tif 000008
【図８】
0006564448.tif 000009
【図９】
0006564448.tif 000010
【図１０】
0006564448.tif 000011
【図１１】
0006564448.tif 000012